(57)【特許請求の範囲】
【請求項１】
空気を清浄化する空気清浄部（２０）と、
空気中の水分を吸着するための回転可能な吸着ロータ（４１）と、前記吸着ロータの第１領域（４１ａ）を通過する空気を加熱することで前記吸着ロータから水分を放出させるヒータ（４２）と、前記ヒータによって加熱された空気を前記第１領域に流す再生ファン（４３）と、を有する除湿部（４０）と、
前記空気清浄部、及び、前記吸着ロータの前記第１領域とは別の第２領域（４１ｂ）に空気を流すメインファン（１２）と、
対象空間の空気を清浄化する空気清浄運転と、前記対象空間を除湿する除湿運転と、前記吸着ロータに付着した物質を除去するための第１クリーン運転と、前記第１クリーン運転とは別の運転であって前記吸着ロータに付着した物質を除去するための第２クリーン運転と、を行う制御部（６０）と、
を備え、
前記制御部は、
前記空気清浄運転では、ユーザによって設定されている設定風量となるように前記メインファンを駆動させ、
前記除湿運転では、前記設定風量となるように前記メインファンを駆動させ、前記ヒータを所定出力で駆動させ、前記吸着ロータを回転させ、かつ、前記再生ファンを駆動させ、
前記第１クリーン運転に含まれるメインクリーン運転では、前記ヒータ及び前記再生ファンを前記除湿運転時と同様に駆動させ、前記吸着ロータを回転させ、かつ、前記メインファンが最大出力となるように前記メインファンを駆動させ、
前記第２クリーン運転に含まれるバッチクリーン運転では、前記ヒータを前記所定出力よりも低い出力で駆動させ、前記再生ファンを前記除湿運転時と同様に駆動させ、前記吸着ロータの回転を停止させ、かつ、前記メインファンを前記設定風量で駆動させ、
前記ヒータが前記所定出力未満の出力で駆動されかつ前記メインファンが駆動された実際の時間及び前記ヒータが前記所定出力未満の出力で駆動されかつ前記メインファンが駆動された実際の時間に基づく運転時間を積算する積算部（６６）と、前記積算部に積算される運転時間が第１所定時間以上となった時に第１所定条件が満たされたと判断し、前記積算部に積算される実際の時間が前記第１所定時間よりも短い第２所定時間以上となった時に第２所定条件が満たされたと判断する判断部（６５）と、
を有し、
前記第１所定条件が満たされた場合には、現在行っている運転を停止し、自動的に、或いは、ユーザからの前記第１クリーン運転の開始指示に応じて、前記第１クリーン運転を開始し、
第２所定条件が満たされた場合には、前記第２クリーン運転を開始する、
空気清浄機（１０）。
【請求項２】
前記制御部は、前記第１所定条件が満たされていると判断した場合には、前記第１クリーン運転が終了するまで、前記第１クリーン運転以外の運転を禁止する、
請求項１に記載の空気清浄機。
【請求項３】
前記積算部は、前記判断部によって前記第１所定条件が満たされたと判断される前に、前記ヒータが前記所定出力以上の出力で駆動され、かつ、前記メインファンが第４所定時間以上駆動された場合には、積算した運転時間をリセットする、
請求項１又は２に記載の空気清浄機。
【請求項４】
前記積算部は、前記ヒータが前記所定出力未満の出力で駆動され、かつ、前記メインファンが駆動された実際の時間に、前記メインファンの風量に基づいて決定される係数を乗じた時間を、運転時間とみなして積算する、
請求項１から３のいずれか１項に記載の空気清浄機。
【請求項５】
ユーザからの前記第１所定条件の変更操作を受け付ける第１受付部（８５）を更に備える、
請求項１から４のいずれか１項に記載の空気清浄機。
【請求項６】
所定事項をユーザに報知可能な報知部（９０）を更に備え、
前記除湿部は、前記吸着ロータの前記第１領域を通過した空気を凝縮する凝縮器（４５）を更に有し、
前記報知部は、前記第１クリーン運転の終了後に、前記凝縮器で発生したドレン水の除去を促す報知を行う、
請求項１から５のいずれか１項に記載の空気清浄機。
【請求項７】
ユーザからの前記第１クリーン運転の開始指示を受け付ける第２受付部（８４）を更に備え、
前記報知部は、前記判断部によって前記第１所定条件が満たされたと判断された場合に、前記第１クリーン運転の実行を促す報知を更に行い、
前記制御部は、前記第２受付部によって前記第１クリーン運転の開始指示が受け付けられた場合に、前記第１クリーン運転を開始する、
請求項６項に記載の空気清浄機。
【請求項８】
前記制御部は、
前記第２所定条件が満たされて前記第２クリーン運転を開始しても、前記第１クリーン運転及び前記第２クリーン運転以外の運転を禁止しない、
請求項１から７のいずれか１項に記載の空気清浄機。
【請求項９】
前記制御部は、
前記第１クリーン運転及び前記第２クリーン運転以外の運転を行っている間に、前記第２所定条件が満たされていると判断した場合には、現在行っている運転を併用して前記第２クリーン運転を行う、
請求項１から８のいずれか１項に記載の空気清浄機。
【請求項１０】
前記係数は、
前記設定風量が、所定風量よりも大きい場合には、前記所定風量に対する値よりも大きく、
前記設定風量が、前記所定風量よりも小さい場合には、前記所定風量に対する値よりも小さい、
請求項４から９のいずれか１項に記載の空気清浄機。
【請求項１１】
前記積算部は、前記ヒータが前記所定出力以上の出力で駆動され、かつ、前記メインファンが駆動された駆動時間を更に積算し、
前記判断部は、予め設定されている第３所定時間に前記駆動時間を加えた時間を、前記第１所定時間とみなして前記第１所定条件を判断する、
請求項１から１０のいずれか１項に記載の空気清浄機。
【発明の詳細な説明】
【技術分野】
【０００１】
本発明は、空気清浄機能及び除湿機能を有する空気清浄機に関する。
【背景技術】
【０００２】
従来より、対象空間の空気を清浄化する空気清浄機には、空気清浄運転の他に、対象空間を除湿する除湿運転を行うものがある。このような空気清浄機には、デシカント式の除湿部を備えるものがあり、デシカント式の除湿部の多くは、吸湿剤としての吸着ロータと、吸着ロータを再生するためのヒータとを有している。
【０００３】
ここで、デシカント式の除湿部を備える空気清浄機では、ヒータの使用されない運転（例えば、空気清浄運転等）が長期間行われることで、吸着ロータに水以外の物質（例えば、有機物等）が蓄積することがある。そして、水以外の物質が蓄積した状態の吸着ロータがヒータで加熱されると、吸着ロータに蓄積した物質が熱せられることで、吸着ロータが異常な温度になり、吸着ロータから煙が発生するという問題が生じるおそれがある。
【０００４】
このような問題に鑑みて、例えば、特許文献１（特開２００９―１６５９５６号公報）に開示されているデシカント式の除湿装置では、除湿ロータ（吸着ロータに相当）に付着した有機成分を除去するために、再生ヒータ（ヒータに相当）の発熱量を最大にしたり、除湿ロータを回転したりする除湿ロータのクリーニングが行われている。
【発明の概要】
【発明が解決しようとする課題】
【０００５】
ところで、吸着ロータに付着する水以外の物質（以下、除去対象物質という）を除去するためのクリーン運転の機能を備えていても、クリーン運転が実行されずに他の運転が実行され続けた場合には、吸着ロータに除去対象物質が蓄積してしまう。
【０００６】
そこで、本発明の課題は、吸着ロータから除去対象物質を除去するための運転が実行されないおそれを低減することで、吸着ロータに除去対象物質が蓄積するおそれを低減することができる空気清浄機を提供することにある。
【課題を解決するための手段】
【０００７】
本発明の第１観点に係る空気清浄機は、空気清浄部と、除湿部と、メインファンと、制御部と、を備える。空気清浄部は、空気を清浄化する。除湿部は、吸着ロータと、ヒータと、再生ファンと、を有する。吸着ロータは、空気中の水分を吸着する。また、吸着ロータは、回転可能である。ヒータは、吸着ロータの第１領域を通過する空気を加熱することで、吸着ロータから水分を放出させる。再生ファンは、ヒータによって加熱された空気を第１領域に流す。メインファンは、空気清浄部、及び、吸着ロータの第２領域に空気を流す。吸着ロータの第２領域とは、第１領域とは別の領域である。制御部は、空気清浄運転と、除湿運転と、第１クリーン運転と、第１クリーン運転とは別の第２クリーン運転と、を行う。空気清浄運転は、対象空間の空気を清浄化する運転である。除湿運転は、対象空間を除湿する運転である。第１クリーン運転及び第２クリーン運転は、吸着ロータに付着した物質を除去するための運転である。制御部は、空気清浄運転では、ユーザによって設定されている設定風量となるようにメインファンを駆動させる。制御部は、除湿運転では、ユーザによって設定されている設定風量となるようにメインファンを駆動させ、ヒータを所定出力で駆動させ、記吸着ロータを回転させ、かつ、再生ファンを駆動させる。制御部は、第１クリーン運転に含まれるメインクリーン運転では、ヒータ及び再生ファンを除湿運転時と同様に駆動させ、吸着ロータを回転させ、かつ、メインファンが最大出力となるようにメインファンを駆動させる。制御部は、第２クリーン運転に含まれるバッチクリーン運転では、ヒータを所定出力よりも低い出力で駆動させ、再生ファンを除湿運転時と同様に駆動させ、吸着ロータの回転を停止させ、かつ、メインファンを設定風量で駆動させる。また、制御部は、積算部と、判断部と、を有する。積算部は、実際の時間及び実際の時間に基づく運転時間を積算する。実際の時間とは、ヒータが所定出力未満の出力で駆動され、かつ、メインファンが駆動された時間のことである。判断部は、積算部に積算される運転時間が第１所定時間以上となった時に、第１所定条件が満たされたと判断する。また、判断部は、積算部に積算される実際の時間が第１所定時間よりも短い第２所定時間以上となった時に、第２所定条件が満たされたと判断する。そして、制御部は、第１所定条件が満たされた場合には、現在行っている運転を停止し、自動的に、或いは、ユーザからの第１クリーン運転の開始指示に応じて、第１クリーン運転を開始する。また、制御部は、第２所定条件が満たされた場合には、第２クリーン運転を開始する。
【０００８】
本発明の第１観点に係る空気清浄機では、第１所定条件が満たされた場合には、現在行っている運転が停止される。このため、吸着ロータが異常な温度になったり、吸着ロータから煙が発生したりする前に、現在行われている運転を停止させることができる。この結果、吸着ロータから除去対象物質を除去するための運転が実行されないおそれを低減することができる。また、運転が停止された後に、第１クリーン運転が開始されることで、吸着ロータに付着した物質を除去することができる。
【０００９】
これによって、吸着ロータから除去対象物質を除去するための運転が実行されないおそれを低減することで、吸着ロータに除去対象物質が蓄積するおそれを低減することができる。
【００１０】
この空気清浄機では、積算部に積算される運転時間が第１所定時間以上となった時に第１所定条件が満たされたと判断されるため、運転時間が第１所定時間以上となる毎に、第１クリーン運転を行うことができる。
【００１１】
この空気清浄機では、メインクリーン運転が実行されている間は、ヒータが所定出力以上の出力で駆動され、かつ、吸着ロータの回転は停止されないため、メインクリーン運転が行われることで、吸着ロータに付着した水以外の物質を除去することができる。
【００１２】
この空気清浄機では、ヒータの出力は、第２クリーン運転時の方が第１クリーン運転時よりも低いため、第２クリーン運転が行われることで吸着ロータに付着する物質のうち特に低沸点の物質を除去することができる。また、積算部に積算される実際の時間が第１所定時間よりも短い第２所定時間以上となった場合に、第２クリーン運転が行われるため、第１クリーン運転よりも短期間に第２クリーン運転を行うことができる。これにより、第１クリーン運転よりも短い時間の間隔で、吸着ロータに付着する物質のうち特に低沸点の物質を除去することができる。
【００１３】
本発明の第２観点に係る空気清浄機は、第１観点の空気清浄機において、制御部は、第１所定条件が満たされていると判断した場合には、第１クリーン運転が終了するまで、第１クリーン運転以外の運転を禁止する。このため、第１所定条件が満たされている状態であるにもかかわらず、第１クリーン運転が行われずに、第１クリーン運転以外の運転（例えば、空気清浄運転や除湿運転）が行われないようにすることができる。
【００１４】
これによって、第１クリーン運転が行われないおそれを低減することができる。
【００１５】
本発明の第３観点に係る空気清浄機は、第１観点又は第２観点の空気清浄機において、積算部は、判断部によって第１所定条件が満たされたと判断される前に、ヒータが所定出力以上の出力で駆動され、かつ、メインファンが第４所定時間以上駆動された場合には、積算した運転時間をリセットする。
【００１６】
例えば、ヒータが所定出力で駆動された状態でメインファンが第４所定時間駆動される運転が行われることで、第１クリーン運転が行われた場合と同程度の除去対象物質の除去効果が期待できる場合には、第１クリーン運転を行う必要性が低くなる。
【００１７】
そこで、本発明の第３観点に係る空気清浄機では、除去対象物質の吸着ロータからの除去効果が期待できる場合には、第１クリーン運転が行われないようにすることで、一定時間毎に第１クリーン運転が行われる場合と比較して、ユーザの所望する運転の行われる時間が短くならないようにすることができる。
【００１８】
本発明の第４観点に係る空気清浄機は、第１観点から第３観点のいずれかの空気清浄機において、積算部は、ヒータが所定出力未満の出力で駆動され、かつ、メインファンが駆動された実際の時間に、メインファンの風量に基づいて決定される係数を乗じた時間を、運転時間とみなして積算する。このため、この空気清浄機では、メインファンの風量に応じて、第１クリーン運転の実行時期を変更することができる。
【００１９】
本発明の第５観点に係る空気清浄機は、第１観点から第４観点のいずれかの空気清浄機において、ユーザから第１所定条件の変更操作を受け付ける第１受付部を更に備える。このため、この空気清浄機では、ユーザの都合に応じて第１クリーン運転の開始条件を変更することができる。
【００２０】
本発明の第６観点に係る空気清浄機は、第１観点から第５観点のいずれかの空気清浄機において、所定事項をユーザに報知可能な報知部を更に備える。また、除湿部は、吸着ロータの第１領域を通過した空気を凝縮する凝縮部を更に有する。報知部は、第１クリーン運転の終了後に、凝縮器で発生したドレン水の除去を促す報知を行う。
【００２１】
本発明の第６観点に係る空気清浄機では、第１クリーン運転の終了後に、凝縮器で発生したドレン水の除去を促す報知がなされる。このため、この空気清浄機では、ユーザにドレン水の除去を促すことができる。
【００２２】
本発明の第７観点に係る空気清浄機は、第６観点の空気清浄機において、ユーザからの第１クリーン運転の開始指示を受け付ける第２受付部を更に備える。また、報知部は、判断部によって第１所定条件が満たされたと判断された場合に、第１クリーン運転の実行を促す報知を行う。さらに、制御部は、第２受付部によって第１クリーン運転の開始指示が受け付けられた場合に、第１クリーン運転を開始する。このため、第１所定条件が満たされることで第１クリーン運転が自動的に実行される場合と比較して、ユーザに第１クリーン運転が実行されていることを認識させやすくすることができる。
【００２３】
本発明の第８観点に係る空気清浄機は、第１観点から第７観点のいずれかの空気清浄機において、制御部は、第２所定条件が満たされて第２クリーン運転を開始しても、第１クリーン運転及び第２クリーン運転以外の運転を禁止しない。このため、この空気清浄機では、第２クリーン運転が終了しなくても、ユーザの所望する運転を行うことができる。
【００２４】
本発明の第９観点に係る空気清浄機は、第１観点から第８観点のいずれかの空気清浄機において、制御部は、第１クリーン運転及び第２クリーン運転以外の運転を行っている間に、第２所定条件が満たされていると判断した場合には、現在行っている運転を併用して第２クリーン運転を行う。この空気清浄機では、第１クリーン運転及び第２クリーン運転以外の運転（例えば、空気清浄運転や除湿運転）を行っている間に、第２所定条件が満たされていると判断した場合には、現在行っている運転を併用して第２クリーン運転が行われるため、第２クリーン運転が行われてもユーザの所望する運転が停止しないようにすることができる。
【００２５】
本発明の第１０観点に係る空気清浄機は、第４観点から第９観点のいずれかの空気清浄機において、係数は、ユーザによって設定されている風量が、所定風量よりも大きい場合には、前記所定風量に対する値よりも大きい。また、係数は、ユーザによって設定されている風量が、前記所定風量よりも小さい場合には、前記所定風量に対する値よりも小さい。このため、この空気清浄機では、ユーザによって設定されている風量に応じて、第１クリーン運転の実行時期を変更することができる。
【００２６】
本発明の第１１観点に係る空気清浄機は、第１観点から第１０観点のいずれかの空気清浄機において、積算部は、ヒータが所定出力以上の出力で駆動され、かつ、メインファンが駆動された駆動時間を更に積算する。また、判断部は、予め設定されている第３所定時間に駆動時間を加えた時間を、第１所定時間とみなして第１所定条件を判断する。このため、この空気清浄機では、一定時間毎に第１クリーン運転が行われる場合と比較して、ユーザの所望する運転の行われる時間が短くならないようにすることができる。
【発明の効果】
【００２７】
本発明の第１観点に係る空気清浄機では、吸着ロータから除去対象物質を除去するための運転が実行されないおそれを低減することで、吸着ロータに除去対象物質が蓄積するおそれを低減することができる。
【００２８】
本発明の第２観点に係る空気清浄機では、第１クリーン運転が行われないおそれを低減することができる。
【００２９】
本発明の第３観点に係る空気清浄機では、ユーザの所望する運転の行われる時間が短くならないようにすることができる。
【００３０】
本発明の第４観点に係る空気清浄機では、メインファンの風量に応じて、第１クリーン運転の実行時期を変更することができる。
【００３１】
本発明の第５観点に係る空気清浄機では、ユーザの都合に応じて第１クリーン運転の開始条件を変更することができる。
【００３２】
本発明の第６観点に係る空気清浄機では、ユーザにドレン水の除去を促すことができる。
【００３３】
本発明の第７観点に係る空気清浄機では、ユーザに第１クリーン運転が実行されていることを認識させやすくすることができる。
【００３４】
本発明の第８観点に係る空気清浄機では、第２クリーン運転が終了しなくても、ユーザの所望する運転を行うことができる。
【００３５】
本発明の第９観点に係る空気清浄機では、第２クリーン運転が行われても、ユーザの所望する運転が停止しないようにすることができる。
【００３６】
本発明の第１０観点に係る空気清浄機では、ユーザによって設定されている風量に応じて、第１クリーン運転の実行時期を変更することができる。
【００３７】
本発明の第１１観点に係る空気清浄機では、ユーザの所望する運転の行われる時間が短くならないようにすることができる。
【図面の簡単な説明】
【００３８】
【図１】本発明の一実施形態に係る空気清浄機の外観斜視図。
【図２】本発明の一実施形態に係る空気清浄機から空気清浄ユニットを取り外した状態の斜視図。
【図３】加湿ユニットの斜視図。
【図４】加湿ユニットの有する水車の分解斜視図。
【図５】除湿ユニットと加湿ユニットとが組み合わされた状態の斜視図。
【図６】除湿ユニットの斜視図。
【図７】除湿ユニットを正面側から視た図。
【図８】吸着ロータの第１領域と第２領域とを説明するための図。
【図９】空気清浄機の備える制御部の制御ブロック図。
【図１０】吸着ロータの第１領域と所定角度領域とを説明するための図。
【図１１】第１クリーン運転が行われる際の各構成部品の制御内容の一例を示す図。
【図１２】第２クリーン運転に含まれるバッチクリーン運転及びアフタークリーン運転が行われる際の各構成部品の制御内容の一例を示す図。
【図１３】第２クリーン運転に含まれるバッチクリーン運転及びアフタークリーン運転が行われる際の各構成部品の制御内容の一例を示す図。
【図１４】第２クリーン運転に含まれるバッチクリーン運転及びアフタークリーン運転が行われる際の各構成部品の制御内容の一例を示す図。
【図１５】第２クリーン運転に含まれるバッチクリーン運転及びアフタークリーン運転が行われる際の各構成部品の制御内容の一例を示す図。
【図１６】第１クリーン運転実行時の制御部による制御の流れを示すフローチャート。
【図１７】第２クリーン運転のバッチクリーン運転及びアフタークリーン運転実行時の制御部による制御の流れを示すフローチャート。
【発明を実施するための形態】
【００３９】
以下、図面を参照しながら、本発明の実施形態に係る空気清浄機１０について説明する。なお、以下の実施形態は、本発明の具体例であって、本発明の技術的範囲を限定するものではない。
【００４０】
（１）空気清浄機の構成
空気清浄機１０は、加湿機能、除湿機能及び空気清浄機能を有しており、加湿運転時は空気清浄機１０の設置されている対象空間（例えば、室内など）を加湿する加湿機として、除湿運転時は対象空間を除湿する除湿機として、空気清浄運転時は対象空間の空気を清浄化する空気清浄機として働く。また、本実施形態では、この空気清浄機１０は、単一機能だけでなく、同時に複数の機能を組み合わせて稼働させることができる。この複数の組み合わせとは、例えば、空気清浄機能と除湿機能との組み合わせ、或いは、空気清浄機能と加湿機能との組み合わせのことである。また、本実施形態の空気清浄機１０は、加湿機能を有しているが、これに限定されず、除湿機能及び空気清浄機能を有していれば加湿機能を有していなくてもよい。
【００４１】
空気清浄機１０は、本体ケーシング１１と、メインファン１２と、加湿ユニット３０と、除湿ユニット４０と、空気清浄ユニット２０と、制御部６０とを備えている（図１参照）。
【００４２】
本体ケーシング１１は、略直方体形状であり、メインファン１２、除湿ユニット４０、加湿ユニット３０、空気清浄ユニット２０および制御部６０等を収容している。また、本体ケーシング１１の最上面には、図１に示すように、空気清浄運転、除湿運転および加湿運転を選択する操作パネル８０が設けられており、この操作パネル８０は下方に位置する制御部６０と接続されている。操作パネル８０上には、運転入／切ボタン８１（図９参照）、運転切換ボタン８２（図９参照）、風量設定ボタン８３（図９参照）、しつど選択ボタン、コース選択ボタン、切タイマー選択ボタン、オートルーバボタン、おすすめボタン、クリーンボタン８４（図９参照）、及び、条件変更ボタン８５（図９参照）が設けられており、各ボタンを押すことによって、押されたボタンに対応した制御信号が制御部６０に入力される。例えば、運転入／切ボタン８１は、空気清浄機１０への電源供給をオン／オフするためのボタンであり、電源プラグをコンセントに差し込んだ後に押されると、空気清浄機１０の運転が開始され、再度押されると、空気清浄機１０の運転が停止される。また、運転切換ボタン８２は、運転モードを選択するボタンであり、「空気清浄」、「加湿」および「除湿」のいずれか１つを選択することができる。なお、ここでいう「加湿」とは、空気清浄をしながらの加湿運転であり、設定湿度に達すると、加湿運転を停止するが、空気清浄運転はそのまま行う。同様に、「除湿」とは、空気清浄をしながらの除湿運転であり、設定温度に達すると、除湿運転を停止するが、空気清浄運転はそのまま行う。
【００４３】
また、操作パネル８０は、ユーザに対して所定事項を報知するための表示部９０を有している。また、表示部９０は、給水ＬＥＤ９１と、満水ＬＥＤ９２と、お知らせＬＥＤ９３と、クリーン運転ＬＥＤ９４と、水交換ＬＥＤ９５と、を含む。給水ＬＥＤ９１は、後述する貯水容器３１内への水の補充が必要であることをユーザに報知するために点灯される。満水ＬＥＤ９２は、貯水容器３１内からの水の排出が必要であることをユーザに報知するために点灯される。お知らせＬＥＤ９３は、第１クリーン運転が必要であることをユーザに報知するために点灯される。クリーン運転ＬＥＤ９４は、第１クリーン運転、又は、第２クリーン運転のアフタークリーン運転を実行中であることをユーザに報知するために点灯される。さらに、水交換ＬＥＤ９５は、貯水容器３１内のドレン水の排出が推奨されることユーザに報知するために点灯される。なお、各ＬＥＤの点灯または消灯は、後述する制御部６０によって制御されている。
【００４４】
メインファン１２は、本体ケーシング１１に収容されたとき、空気清浄ユニット２０とは反対側に配置されている。また、この空気清浄機１０を空気清浄ユニット２０側から視たときに、各内部部品は、空気清浄ユニット２０、除湿ユニット４０、加湿ユニット３０、メインファン１２の順に並んでいる。このため、メインファン１２が稼働されると、空気清浄機１０が設置されている対象空間の空気が、空気清浄ユニット２０側から除湿ユニット４０および加湿ユニット３０を通過しメインファン１２に至る空気流Ａ１が形成される。なお、本実施形態では、メインファン１２は、空気清浄運転、加湿運転或いは除湿運転が開始されてから停止されるまで、設定風量で回転している。
【００４５】
なお、図１では、加湿ユニット３０の構成部品である、貯水容器３１、加湿ロータ３２および水車３３が加湿ユニット３０から引き出されているが、運転時には、加湿ユニット３０の所定位置に配置されている。
【００４６】
以下に、空気清浄機１０の備える空気清浄ユニット２０、加湿ユニット３０、除湿ユニット４０及び制御部６０について、詳細に説明する。
【００４７】
（２）空気清浄ユニットの構成
図２は、空気清浄機１０から空気清浄ユニット２０を取り外した斜視図である。
【００４８】
空気清浄ユニット２０は、空気清浄機１０の設置されている対象空間の空気を清浄化するためのユニットであって、図２に示すように、カバー２１と、フィルタ２２と、脱臭触媒２３とを有している。フィルタ２２と脱臭触媒２３とは、本体ケーシング１１に設けられた収納部２４に着脱可能に収納されており、脱臭触媒２３がフィルタ２２の空気流Ａ１下流側に位置する。
【００４９】
フィルタ２２内部には、空気流Ａ１上流側から順に、プレフィルタ、ホコリをプラスに帯電させるイオン化部、マイナスに帯電したプリーツフィルタ、が並んで配置されている。空気中のホコリは、プレフィルタで取り除かれ、プレフィルタで取りきれなかった小さなホコリは、イオン化部でプラスに帯電され、マイナスに帯電したプリーツフィルタに吸着される。脱臭触媒２３は、フィルタ２２を通過してきた空気からニオイや有害ガスを吸着し、分解する。
【００５０】
なお、本実施形態では、空気清浄ユニット２０の有するフィルタ２２が、イオン化部やプリーツフィルタを含んでいたり、脱臭触媒２３を有していたりするが、空気を清浄化する機能を有していれば、これに限定されない。例えば、空気清浄ユニット２０が、プレフィルタのみで構成されていてもよい。また、空気清浄ユニット２０が、ホコリセンサやニオイセンサ等を有していてもよい。
【００５１】
（３）加湿ユニットの構成
加湿ユニット３０は、運転時において、除湿ユニット４０の有する再生ファン４３の下方に重なるように配置されている。また、加湿ユニット３０は、図３に示すように、主に、貯水容器３１、加湿ロータ３２及び水車３３を有している。
【００５２】
（３−１）貯水容器
貯水容器３１は、空気流Ａ１を流れる空気に与える水分の水源であり、図１に示すように、本体ケーシング１１に着脱可能に収容されている。具体的には、本体ケーシング１１の有する引き出し式の第１扉１１ａが引き出されることによって、貯水容器３１は本体ケーシング１１の開口１１ｃから取り出される。さらに、図３に示すように、貯水容器３１の内側には上部が開いている軸受３１ａが設けられており、この軸受３１ａは後述する回転軸３７を回転可能に支持する。また、貯水容器３１は、図１に示すように、ドレンパン３１ｂを有している。
【００５３】
（３−２）加湿ロータ
加湿ロータ３２は、供給された水を気化させる部材であり、図３に示すように、水車３３に近接して配置されており、貯水容器３１の満水時の水位よりも上方に配置されている。また、加湿ロータ３２は、気化フィルタ３２ａと、第１歯車３２ｂとを有しており、回転可能である。
【００５４】
第１歯車３２ｂは、図３に示すように、気化フィルタ３２ａの外周縁に固定されており、駆動モータ３４の駆動によって回転する駆動歯車３４ａおよび第２歯車３４ｂと噛み合うことによって支持されている。また、駆動歯車３４ａおよび第２歯車３４ｂは、第１歯車３２ｂの回転軸よりも下方に位置し、加湿ロータ３２の鉛直中心線に対して互いに反対側に位置している。
【００５５】
（３−３）水車
水車３３は、図３および図４に示すように、車輪３５と、車輪カバー３６と、第２歯車３４ｂとを有しており、貯水容器３１の内側を回転可能である。
【００５６】
車輪３５には、図４に示すように、一方の側面から反対側の側面に向かって窪む複数の凹部３５ａが円を描くように形成されている。また、車輪３５には、この凹部３５ａの開口側を覆うように、車輪カバー３６が組み合わされる。なお、車輪カバー３６には、台形状の孔３６ａが、車輪３５の凹部３５ａと対向する位置に円を描くように形成されている。この台形状の孔３６ａの大きさは、凹部３５ａの開口の半分程度である。このため、車輪３５に車輪カバー３６が組み合わされたとき、凹部３５ａの開口は半分程度が開いた状態となる。第２歯車３４ｂは、加湿ロータ３２の第１歯車３２ｂと噛み合う歯車であり、回転中心には、車輪３５、車輪カバー３６および第２歯車３４ｂが共有する回転軸３７が設けられている。この回転軸３７を同軸として、第２歯車３４ｂ、車輪カバー３６、車輪３５が順に重ねて組み合わされている。なお、この回転軸３７は、上述のように、貯水容器３１の軸受３１ａに回転可能に支持されている。このため、貯水容器３１を本体ケーシング１１から引き出すことで、水車３３を貯水容器３１から取り出すことができる。なお、貯水容器３１の底面から軸受３１ａの軸心までの高さは、貯水容器３１に溜められている水が最低水位のときであっても、水車３３の最下位置にある凹部３５ａが水没するように設定されている。
【００５７】
また、図５は、除湿ユニット４０と、加湿ユニット３０とが組み合わされた状態の斜視図である。図５において、加湿ユニット３０は、除湿ユニット４０の再生ファン４３の下方に、重なるように配置されている。加湿ユニット３０の加湿ロータ３２は、除湿ユニット４０の吸着ロータ４１及び熱交換部４４と対向している。そして、水車３３は、加湿ロータ３２と熱交換部４４とで挟まれるように配置されている。
【００５８】
さらに、加湿ユニット３０では、駆動モータ３４が駆動することで、加湿ロータ３２および水車３３が回転する。水車３３が回転することによって、凹部３５ａは貯水容器３１の水中を順番に通過して上昇する。凹部３５ａが浸水すると台形状の孔３６ａから凹部３５ａの内部に水が入る。このため、凹部３５ａが水中から出てきたとき、凹部３５ａの内部は水で満たされている。そして、凹部３５ａが最上位置に近づくにしたがって、凹部３５ａ内部の水が台形状の孔３６ａから流出し、凹部３５ａが最上位置を通過したときに、ほぼ全ての水が流出する。このとき、水は、流出する際に重力によってある程度の勢いが付加されているので、凹部３５ａと近接している加湿ロータ３２の側面に向かって流出する。
【００５９】
（４）除湿ユニットの構成
除湿ユニット４０は、図６および図７に示すように、吸着ロータ４１、ヒータ４２、再生ファン４３、熱交換部４４、及び、吸着ロータ駆動部（図示せず）を有している。
【００６０】
（４−１）吸着ロータ
吸着ロータ４１は、ハニカム構造体であり、ゼオライト粉末、バインダーおよび膨張剤を混合して練り上げた多孔質の材料によって円板状に成形されている。ここでいうバインダーとしては、例えば、変性ＰＰＥ、ポリプロピレン、ポリスチレン、ＡＢＳ樹脂等の熱可塑性樹脂から選択されたものである。膨張剤は、ハニカム構造体の成形時に膨張することで、無数の気泡を形成させる。このため、吸着ロータ４１は、水分に対した高い吸着性を有している。また、吸着ロータ４１は、ヒータ４２に対向する第１領域４１ａと、第１領域４１ａ以外の第２領域４１ｂと、に区別することができる（図８参照）。メインファン１２によって形成される空気流Ａ１は、吸着ロータ４１においてヒータ４２及び後述する第２送風管４４ｂによって挟まれていない領域である第２領域４１ｂを通過する。また、吸着ロータ４１は回転可能であるため、吸着ロータ４１が回転することで、吸着ロータ４１において第１領域４１ａとなる部位と、吸着ロータ４１において第２領域４１ｂとなる部位とが変化する。
【００６１】
（４−２）ヒータ
ヒータ４２は、吸着ロータ４１の第１領域を通過する空気を加熱して吸着ロータ３１から水分を放出させるために、吸着ロータ４１の背面側の一部に対向して配置されている。なお、本実施形態では、ヒータ４２は、略扇形形状であって、吸着ロータ４１の背面側の６分の１程度を覆う位置に設けられている。
【００６２】
（４−３）再生ファン
再生ファン４３は、吸着ロータ４１の上方部分から背面側に向けて突出するような形状を有している。ヒータ４２と再生ファン４３とは空気の流通ができるように熱交換部４４の有する第１送風管４４ａによって連絡されている。再生ファン４３が稼働することで空気流が形成され、空気は第１送風管４４ａ内を図６の矢印で示す方向に流れる。そして、ヒータ４２近傍に流れてきた空気は、ヒータ４２で加熱されて高温空気となり、吸着ロータ４１の第１領域４１ａに流れる。
【００６３】
（４−４）熱交換部
熱交換部４４は、図６および図７に示すように、送風管と凝縮部４５とを有している。なお、熱交換部４４は、樹脂によって構成されている。
【００６４】
送風管は、第１送風管４４ａと、第２送風管４４ｂと、第３送風管４４ｃと、第４送風管４４ｄと、第５送風管４４ｅと、第６送風管４４ｆと、第７送風管４４ｇと、から構成される。ヒータ４２によって加熱された高温空気は、対向する吸着ロータ４１の背面側から吸着ロータ４１の厚み方向の正面側に向かって進み、吸着ロータ４１の正面側に流れる。ここで、図８に示すように、吸着ロータ４１のうち高温空気が通過する第１領域（吸着ロータ４１のうちヒータ４２の加熱可能部分が重なる領域）４１ａでは、吸着ロータ４１が高温空気によって暖められることで、保持していた水分が再生ファン４３による空気流れによって放出される。このため、吸着ロータ４１を背面側から前面側に向けて通過した空気は、吸着ロータ４１から放出された水分を含むことにより高温高湿空気となり、第２送風管４４ｂに進む。
【００６５】
第２送風管４４ｂは、正面視において略扇型形状を呈しており、吸着ロータ４１の一部を正面側から覆うように配置されている。また、第２送風管４４ｂは、上述したヒータ４２と共に吸着ロータ４１の同一部分を挟むような位置に設けられ、吸着ロータ４１の正面側の６分の１程度を覆っている。
【００６６】
第３送風管４４ｃは、第２送風管４４ｂと第４送風管４４ｄとの空気の流通ができるように、第２送風管４４ｂと第４送風管４４ｄとを連絡している。
【００６７】
第４送風管４４ｄは、第３送風管４４ｃと凝縮部４５との空気の流通ができるように、第３送風管４４ｃと凝縮部４５とを連絡している。具体的には、第４送風管４４ｄは、図７に示すように、吸着ロータ４１の厚さ方向に交差する方向（略水平方向）に延びており、吸着ロータ４１の下方に沿うように形成されている。また、第４送風管４４ｄの下部は、後述する複数の凝縮管４６と接続されている。なお、ここでいう「上下」および「左右」は、除湿ユニット４０を正面視した場合の「上下」および「左右」を意味している。
【００６８】
第５送風管４４ｅは、凝縮部４５と第６送風管４４ｆとの空気の流通ができるように、凝縮部４５と第６送風管４４ｆとを連絡している。具体的には、第５送風管４４ｅは、図７に示すように、第４送風管４４ｄと同様に吸着ロータ４１の厚さ方向に交差する方向（略水平方向）に延びており、第４送風管４４ｄの下方に第４送風管４４ｄと対向するように配置されている。また、第５送風管４４ｅの上部は、複数の凝縮管４６と接続されている。
【００６９】
第６送風管４４ｆは、第５送風管４４ｅと第７送風管４４ｇとの空気の流通ができるように、第５送風管４４ｅと第７送風管４４ｇとを連絡している。
【００７０】
第７送風管４４ｇは、第６送風管４４ｆと再生ファン４３とを連絡している。第６送風管４４ｆを通過してきた空気は、第７送風管４４ｇを通って再生ファン４３に吸い込まれる。
【００７１】
凝縮部４５は、図６および図７に示すように、第４送風管４４ｄと第５送風管４４ｅとを連絡しており、複数の凝縮管４６を有している。また、凝縮管４６は、第４送風管４４ｄから第５送風管４４ｅに鉛直方向に延びている。さらに、凝縮管４６同士は、所定の間隔をあけて配置されている。このため、第３送風管４４ｃを流れてきた高温高湿空気は、第４送風管４４ｄ内を、除湿ユニット４０の正面視において左側から右側（図６の矢印に示す方向）に向かって流れるとともに、複数の凝縮管４６に分配される。また、複数の凝縮管４６に分配された空気は、第５送風管４４ｅにおいて合流して第６送風管４４ｆ内に流れる。
【００７２】
また、凝縮管４６同士が所定の間隔をあけて配置されているため、凝縮部４５には、凝縮管４６同士の間に、空気流Ａ１が通過する空気通過部４６ａが形成されている。このような構成によって、熱交換部４４内部を流れる高温高湿空気は、凝縮部４５の凝縮管４６の内壁面に接触しながら流れる。このため、熱交換部４４外部を通過する空気は、凝縮管４６内部を流れる高温高湿空気との間で熱交換を行い、互いに混ざり合うことなく、凝縮管４６内部を流れる空気から熱量を奪う。したがって、凝縮管４６内壁面に接触した高温高湿の空気は冷却され、凝縮管４６の内壁面には結露が生じる。この結露水（以下、ドレン水という）は、凝縮管４６の下方に流れ、第５送風管４４ｅの下面に設けられている排水口４７を通って、ドレンパン３１ｂを介して貯水容器３１に流れ込む。また、凝縮部４５において熱交換された空気は、再生ファン４３に吸い込まれる。
【００７３】
（４−５）吸着ロータ駆動部
吸着ロータ駆動部は、ステッピングモータである駆動モータ４９（図９参照）と、駆動モータ４９によって回転されるピニオン歯車（図示せず）と、ピニオン歯車と噛み合う従動歯車（図示せず）と、を有している。また、従動歯車は、吸着ロータ４１の外周に配置されている。このため、駆動モータ４９が稼働すると、ピニオン歯車と噛み合っている従動歯車に動力が伝わり、吸着ロータ４１が回転する。そして、吸着ロータ４１は回転しながら、本体ケーシング１１に吸い込まれた空気が吸着ロータ４１の第２領域４１ｂを通過する。吸着ロータ４１は、この空気が吸着ロータ４１を通過する際に、通過しようとする空気中の水分を吸着して保持し、通過後の空気の水分を低減させる。そして、吸着ロータ４１が回転を続けることで、吸着ロータ４１のうち水分を保持している部分が、ヒータ４２と対向する位置にまで移動し、加熱される。これにより水分を保持していた吸着ロータ４１の一部は、保持していた水分をその場で放出し、ほとんど水分を保持していない状態となる。そして、吸着ロータ４１は、回転を続けることで、新たな外部空気と接触し、この新たな外部空気から水分を吸着して保持する。このようにして、吸着ロータ４１が回転することにより、水分の吸着と放出とを繰り返すことができる。
【００７４】
（５）制御部
制御部６０は、上述のように、操作パネル８０の下方に配置されており、操作パネル８０から入力される制御信号に基づいて、空気清浄運転、加湿運転、除湿運転、及び、クリーン運転が行われるように、各構成部品の駆動を制御する。また、制御部６０は、図９に示すように、空気清浄運転制御部６１と、除湿運転制御部６２と、加湿運転制御部６３と、クリーン運転制御部６４と、を備えている。
【００７５】
空気清浄運転制御部６１は、ユーザによって運転入／切ボタン８１が押され、運転切換ボタン８２が押されて「空気清浄」が選択された場合、設定風量となるようにメインファン１２を稼働させる。空気清浄運転制御部６１によってメインファン１２が稼働されることで、空気清浄機１０内部に取り込まれた空気が清浄化される空気清浄運転が実行される。また、空気清浄運転制御部６１は、風量設定ボタン８３が押された場合、設定された風量に切り換わるようにメインファン１２の駆動を制御する。
【００７６】
加湿運転制御部６３は、ユーザによって運転入／切ボタン８１が押され、運転切換ボタン８２が押されて「加湿」が選択された場合、設定風量となるようにメインファン１２を稼働させ、かつ、加湿ユニット３０の駆動モータ３４を稼働させる。加湿運転制御部６３によって、駆動モータ３４が稼働され、かつ、メインファン１２が稼働されることで、空気清浄機１０内部に取り込まれた空気が、回転しており、かつ水分を含んだ加湿ロータ３２を通過することで加湿される加湿運転が実行される。また、加湿運転制御部６３は、風量設定ボタン８３が押された場合、設定された風量に切り換わるようにメインファン１２の駆動を制御する。
【００７７】
除湿運転制御部６２は、ユーザによって運転入／切ボタン８１が押され、運転切換ボタン８２が押されて「除湿」が選択された場合、設定風量となるようにメインファン１２を稼働させ、かつ、除湿ユニット４０の駆動モータ４９、ヒータ４２および再生ファン４３を稼働させる。なお、本実施形態では、除湿運転制御部６２は、ヒータ４２を所定出力（例えば、５００Ｗ）で稼働させる。除湿運転制御部６２によって、駆動モータ４９、ヒータ４２および再生ファン４３が稼働され、かつ、メインファン１２が稼働されることで、空気清浄機１０内部に取り込まれた空気が、回転しており、かつ、水分が放出された吸着ロータ４１の第２領域４１ｂを通過することで除湿される除湿運転が実行される。また、除湿運転制御部６２は、風量設定ボタン８３が押された場合、設定された風量に切り換わるようにメインファン１２の駆動を制御する。
【００７８】
クリーン運転制御部６４は、メインファン１２、除湿ユニット４０の駆動モータ４９、ヒータ４２及び再生ファン４３を駆動を制御することで、クリーン運転を実行する。なお、クリーン運転は、除湿ユニット４０の吸着ロータ４１に付着した水以外の物質（例えば、有機物など）を除去するための運転であって、空気清浄運転、或いは、加湿運転中であっても、後述する第１開始条件或いは第２開始条件が満たされた場合には、優先して実行される。また、クリーン運転には、第１クリーン運転と第２クリーン運転との２種類の運転がある。
【００７９】
第１クリーン運転には、ロータクリーン運転（メインクリーン運転に相当）と、アフタークリーン運転とが含まれる。また、第１クリーン運転では、ロータクリーン運転、アフタークリーン運転の順に運転が切り換えられる。ロータクリーン運転を実行する場合、クリーン運転制御部６４は、ヒータ４２、駆動モータ４９及び再生ファン４３を除湿運転時と同様に稼働させ、かつ、設定可能な風量のうちの最大風量となるようにメインファン１２を稼働させる。すなわち、本実施形態では、ロータクリーン運転と、最大風量に設定された除湿運転とは、同様の運転となる。また、アフタークリーン運転を実行する場合、クリーン運転制御部６４は、ヒータ４２及び駆動モータ４９の稼働を停止し、再生ファン４３を除湿運転時と同様に稼働させ、かつ、ユーザによって設定されている設定風量となるようにメインファン１２を稼働させる。
【００８０】
第２クリーン運転には、バッチクリーン運転と、アフタークリーン運転とが含まれる。また、第２クリーン運転では、バッチクリーン運転、アフタークリーン運転の順に運転が切り換えられる。バッチクリーン運転を実行する場合、現在駆動している機器をそのまま稼働させつつ、クリーン運転制御部６４は、ヒータ４２を、除湿運転及びロータクリーン運転時の所定出力よりも低い出力（例えば、１８０Ｗ）で稼働させ、再生ファン４３を除湿運転時と同様に稼働させ、かつ、ユーザによって設定されている設定風量となるようにメインファン１２を稼働させる。なお、クリーン運転制御部６４は、バッチクリーン運転を開始すると同時にメインファン１２を稼働させるのではなく、バッチクリーン運転開始前の運転時に稼働しているメインファン１２を継続して稼働させる。また、クリーン運転制御部６４は、バッチクリーン運転において、後述する判断部６５によって第２終了条件が満たされていると判断された場合、再生ファン４３を除湿運転時と同様に稼働させ、かつ、ユーザによって設定されている設定風量となるようにメインファン１２を稼働させた状態で、ヒータ４２の稼働を停止し、駆動モータ４９を稼働することで吸着ロータ４１を３６０度未満の所定角度θだけ回転させる。このため、バッチクリーン運転において、ヒータ４２が稼働している場合、吸着ロータ４１の回転は停止している。なお、本実施形態では、図１０に示す吸着ロータ４１の所定角度領域４１ｃは、ヒータ４２が吸着ロータ４１を加熱することができる領域である第１領域４１ａよりも小さくなるように設計されている。また、ここでいう所定角度領域４１ｃとは、吸着ロータ４１の回転軸に直交する第１仮想直線Ｌ１と第２仮想直線Ｌ２とのなす角度を所定角度θとした場合に、第１仮想直線Ｌ１と第２仮想直線Ｌ２とによって規定される吸着ロータ４１の領域を意味している。なお、図１０では、第１領域４１ａと所定角度領域４１ｃとを比較するために、吸着ロータ４１においてヒータ４２によって覆われる領域である第１領域４１ａを、第１仮想直線Ｌ１と第３仮想直線Ｌ３とによって規定することで示している。また、第２クリーン運転におけるアフタークリーン運転は、第１クリーン運転におけるアフタークリーン運転と同様であるため、説明を省略する。さらに、本実施形態における第２クリーン運転は、バッチクリーン運転が複数回行われて、吸着ロータ４１が１回転（３６０度）以上回転することで、１回の第２クリーン運転が実行されたものとする。すなわち、本実施形態では、第２クリーン運転が１回行われることで、吸着ロータ４１が１回転以上回転する。また、本実施形態では、バッチクリーン運転実行中に、ユーザによって設定風量が変更された場合には、変更後の設定風量となるようにメインファン１２が稼働される。さらに、本実施形態では、バッチクリーン運転実行中に、ユーザによって運転内容が変更された場合（例えば、空気清浄運転から加湿運転に変更された場合や、加湿運転から空気清浄運転に変更された場合）には、変更された運転が行われるように、各構成機器が制御される。すなわち、本実施形態の第２クリーン運転は、ユーザによる設定風量及び運転内容の変更に従いつつ行われる。
【００８１】
また、クリーン運転制御部６４は、積算部６６と、判断部６５と、を有している。
【００８２】
積算部６６は、計測部６７と、演算部６８と、記憶部６９と、を含む。計測部６７は、ヒータ４２が所定出力以上の出力で稼働されずに、メインファン１２が稼働している運転実行時間を計測する。具体的には、計測部６７は、除湿運転及び第１クリーン運転のロータクリーン運転以外の運転である空気清浄運転及び加湿運転が実際に行われている運転実行時間を計測する。
【００８３】
演算部６８は、計測部６７によって計測された運転実行時間に、設定風量に応じた係数を乗じた補正運転時間を算出する。なお、設定風量に応じた係数は、風量の違いによる吸着ロータ４１の汚れ度合いの違いを考慮するために、シミュレーションや机上計算、実験等によって決定されており、予め記憶部６９に記憶されている。具体的には、設定風量に応じた係数は、設定風量が所定風量よりも大きい場合には、所定風量に対する係数よりも大きい値となり、また、設定風量が所定風量よりも小さい場合には、所定風量に対する係数よりも小さい値となる。例えば、設定風量が「標準」の場合の係数を「１」とすると、設定風量が「強」の場合は、その係数が「１．２」とされ、設定風量が「弱」の場合はその係数が「０．９」に決定されている。
【００８４】
記憶部６９は、計測された運転実行時間を積算していくことで、積算運転時間を導出して記憶する。また、記憶部６９は、算出される補正運転時間を積算していくことで、積算補正運転時間（運転時間に相当）を導出して記憶する。さらに、記憶部６９は、除湿運転が第８所定時間以上継続して行われた場合、第１クリーン運転が行われた場合、或いは、第２クリーン運転のバッチクリーン運転が終了した場合にのみ、記憶している積算運転時間をリセットする。また、記憶部６９は、除湿運転が第９所定時間以上継続して行われた場合、或いは、第１クリーン運転が実行された場合にのみ、記憶している積算補正運転時間をリセットする。
【００８５】
判断部６５は、第１開始条件（第１所定条件に相当）、及び、第２開始条件（第２所定条件に相当）が満たされているか否かを判断する。判断部６５は、記憶部６９に記憶されている積算補正運転時間が第１所定時間を超えた場合に、第１開始条件が満たされていると判断する。また、判断部６５は、記憶部６９に記憶されている積算運転時間が第２所定時間を超えた場合に、第２開始条件が満たされていると判断する。なお、第２所定時間は、第１所定時間よりも短いものとする。
【００８６】
ここで、予め設定されている第１所定時間は、吸着ロータ４１に付着した除去対象物質が発煙する付着量発煙閾値を実験的に求め、この付着量発煙閾値と、クリーン運転を行わない状態で空気清浄運転を行わせた場合の吸着ロータ４１への除去対象物質の付着量とに基づいて決定されている。また、第２所定時間は、吸着ロータ４１に付着した除去対象物質のうち主に低沸点の物質が発熱する付着量発熱閾値を実験的に求め、クリーン運転を行わない状態で空気清浄運転を行わせた場合の吸着ロータ４１への除去対象物質の付着量が付着量発熱閾値に達しない時間に決定されている。なお、本実施形態では、ユーザは、条件変更ボタン８５を押すことで、第１開始条件を変更することができる。具体的には、ユーザによって条件変更ボタン８５が押されることで、第１所定時間の設定が変更される。また、本実施形態では、第１所定時間として予め設定されている時間よりも短時間となるように設定変更が可能であるものとする。
【００８７】
また、判断部６５は、第１終了条件、及び、第２終了条件が満たされているか否かを判断する。判断部６５は、ロータクリーン運転が開始されてから第３所定時間が経過した場合に、第１終了条件が満たされていると判断する。また、第２送風管４４ｂと第３送風管４４ｃとの接続部には、前記接続部内を流れる空気の温度を検出するための温度センサ４８が設けられている。判断部６５は、温度センサ４８から出力される検出温度値が第１所定値以上である状態が第４所定時間以上継続した場合、或いは、バッチクリーン運転が開始されてから第５所定時間が経過した場合に、第２終了条件が満たされていると判断する。
【００８８】
ここで、空気清浄機１０の使用環境（環境温度や設定風量など）により、１回のバッチクリーン運転（ここでいう１回のバッチクリーン運転とは、バッチクリーン運転の開始から終了までを意味している）で、吸着ロータ４１にかけることのできる熱量に、違いが生じるという問題がある。そこで、発明者は、鋭意検討した結果、吸着ロータ４１にかけることのできる熱量が小さくても、吸着ロータ４１に熱をかける時間を長くすることで、使用環境に関係なく吸着ロータ４１から除去対象物質を除去することができることを見出した。そして、第４所定時間及び第５所定時間は、様々な設定風量の使用環境下でヒータ４２を低出力で稼働させて吸着ロータ４１に熱をかけた場合の、吸着ロータ４１からの除去対象物質（主に低沸点の物質）の除去率と、吸着ロータ４１に熱をかけた時間と、に基づいて、決定されている。また、バッチクリーン運転ではヒータ４２が除湿運転及びロータクリーン運転時の所定出力よりも低い出力（例えば、１８０Ｗ）で駆動されるため、第４所定時間及び第５所定時間を、除去対象物質のうちの低沸点の物質を吸着ロータ４１から除去する効果を期待することができる範囲で、できるだけ短時間に設定することで、バッチクリーン運転が行われても、熱交換部４４から大量のドレン水が排出されないようにすることができる。
【００８９】
さらに、判断部６５は、アフタークリーン運転終了条件が満たされているか否かを判断する。判断部６５は、アフタークリーン運転が開始されてから温度センサ４８から出力される検出温度値が第２所定値以下である状態が第６所定時間以上継続した場合、或いは、アフタークリーン運転が開始されてから第７所定時間が経過した場合に、アフタークリーン運転終了条件が満たされていると判断する。
【００９０】
また、クリーン運転制御部６４は、図１１に示すように、空気清浄運転又は加湿運転が実行されている時に判断部６５によって第１開始条件が満たされていると判断された場合、現在実行されている運転を停止させる。さらに、クリーン運転制御部６４は、判断部６５によって第１開始条件が満たされていると判断された場合、ブザーが鳴るようにスピーカー９６を制御するとともに、お知らせＬＥＤ９３が点灯或いは点滅するようにＬＥＤを制御する。そして、クリーン運転制御部６４は、ユーザによって運転入／切ボタン８１が押され、クリーンボタン８４が押された場合に、第１クリーン運転のロータクリーン運転を開始させる。また、クリーン運転制御部６４は、ロータクリーン運転を開始させると同時に、クリーン運転ＬＥＤ９４が点灯するようにＬＥＤを制御する。また、クリーン運転制御部６４は、判断部６５によって第１終了条件が満たされていると判断された場合に、ロータクリーン運転を自動的に終了させる。その後、クリーン運転制御部６４は、アフタークリーン運転を自動的に開始させ、判断部６５によってアフタークリーン運転終了条件が満たされていると判断された時に、アフタークリーン運転を終了させることで、第１クリーン運転を終了させる。また、クリーン運転制御部６４は、第１クリーン運転を終了させた後に、水交換ＬＥＤ９５が点灯するようにＬＥＤを制御する。
【００９１】
なお、本実施形態では、アフタークリーン運転が実行されているときに判断部６５によって第１開始条件が満たされていると判断された場合、アフタークリーン運転の実行を停止せず、アフタークリーン運転の終了後に、ブザーが鳴るようにスピーカー９６が制御され、お知らせＬＥＤ９３が点灯或いは点滅するようにＬＥＤが制御されるものとする。
【００９２】
また、クリーン運転制御部６４は、図１２及び図１３に示すように、空気清浄運転又は加湿運転が実行されている時に判断部６５によって第２開始条件が満たされていると判断された場合、現在実行されている運転を併用して、第２クリーン運転を実行する。具体的には、クリーン運転制御部６４は、空気清浄運転又は加湿運転が実行されている時に判定部によって第２開始条件が満たされていると判断された場合には、空気清浄運転制御部６１又は加湿運転制御部６３に、運転停止に関する制御信号を送信せずに、バッチクリーン運転を自動的に開始させる。言い換えると、第２クリーン運転は、ユーザによって操作パネル８０のボタンが押されずに開始される運転である。さらに、クリーン運転制御部６４は、バッチクリーン運転の実行時、スピーカー９６や各ＬＥＤ等を制御しない。すなわち、バッチクリーン運転中であっても、バッチクリーン運転が実行されていることがユーザに報知されない。また、クリーン運転制御部６４は、判断部６５によって第２終了条件が満たされていると判断された場合に、バッチクリーン運転を自動的に終了させる。その後、クリーン運転制御部６４は、アフタークリーン運転を自動的に開始させ、判断部６５によってアフタークリーン運転終了条件が満たされていると判断された時に、アフタークリーン運転を終了させる。
【００９３】
また、クリーン運転制御部６４は、図１４に示すように、判断部６５によって第２終了条件が満たされていると判断される前に、運転が停止された場合、バッチクリーン運転を終了させ、アフタークリーン運転を行う。さらに、クリーン運転制御部６４は、図１５に示すように、判断部６５によって第２終了条件が満たされていると判断される前に、温度センサ４８から出力される検出温度値が第３所定値以上となった場合には、異常温度であると判定し、強制的にバッチクリーン運転を終了させ、アフタークリーン運転を行う。
【００９４】
（６）制御部による制御動作
次に、空気清浄機１０のクリーン運転時の制御部６０の制御動作について、図１６及び図１７を用いて説明する。なお、図１６は、第１クリーン運転に関する制御部６０の制御動作を示しており、図１７は、第２クリーン運転に関する制御部６０の制御動作を示している。
【００９５】
（６−１）第１クリーン運転
ユーザによって運転入／切ボタン８１が押され、運転切換ボタン８２が押されて「空気清浄」が選択されることで、空気清浄運転の運転開始に関する制御信号が入力された場合（ステップＳ１）、空気清浄運転制御部６１によって、設定風量となるようにメインファン１２が稼働される。これにより、空気清浄運転が開始される。また、ユーザによって運転入／切ボタン８１が押され、運転切換ボタン８２が押されて「加湿」が選択されることで、加湿運転の運転開始に関する制御信号が入力された場合（ステップＳ１）、加湿運転制御部６３によって、設定風量となるようにメインファン１２が稼働され、かつ、加湿ユニット３０の駆動モータ３４が稼働される。
【００９６】
そして、空気清浄機１０において空気調和運転或いは加湿運転が実行されている間に、判断部６５によって第１開始条件が満たされているか否かが判断される（ステップＳ２）。このとき、判断部６５によって第１開始条件が満たされていると判断される前に、運転停止に関する制御信号が入力された場合（ステップＳ３）、制御部６０は、稼働しているメインファン１２又はメインファン１２及び駆動モータ３４の稼働を停止して、現在実行している空気清浄運転、或いは、加湿運転を終了させる（ステップＳ４）。このとき、記憶部６９は、積算補正運転時間及び積算運転時間を導出して記憶する（ステップＳ４）。
【００９７】
一方、運転停止に関する制御信号が入力される前に、判断部６５によって第１開始条件が満たされたと判断された場合、クリーン運転制御部６４は、第１クリーン運転が必要であると認定し、稼働しているメインファン１２又はメインファン１２及び駆動モータ３４の稼働を停止して、現在実行している空気清浄運転、或いは、加湿運転を自動的に終了させる（ステップＳ５）。また、判断部６５によって第１開始条件が満たされたと判断された場合、スピーカー９６、お知らせＬＥＤ９３に対して報知に関する制御信号を送信する（ステップＳ５）。この結果、スピーカー９６からブザー音が鳴り、かつ、お知らせＬＥＤ９３が点灯或いは点滅する。
【００９８】
その後、ユーザによって運転入／切ボタン８１が押され、クリーンボタン８４が押されることで、第１クリーン運転の運転開始に関する制御信号が入力された場合（ステップＳ６）、クリーン運転制御部６４によって、ヒータ４２、駆動モータ４９、再生ファン４３及びメインファン１２が稼働されることで、ロータクリーン運転が開始される（ステップＳ７）。なお、判断部６５によって第１開始条件が満たされたと判断された場合、制御部６０は、第１クリーン運転以外の運転（空気清浄運転、除湿運転、及び、加湿運転）が禁止されるように、空気清浄運転制御部６１、加湿運転制御部６３、及び、除湿運転制御部６２を制御する（ステップＳ８）。例えば、ステップＳ５において、現在実行している空気清浄運転、或いは、加湿運転を自動的に終了させた後に、ユーザによって運転入／切ボタン８１が押され、運転切換ボタン８２が押されて「空気清浄」が選択されることで、空気清浄運転の運転開始に関する制御信号が入力された場合であっても、空気清浄運転制御部６１は、空気清浄運転を開始させない。また、本実施形態では、制御部６０は、判断部６５によって第１開始条件が満たされたと判断された場合、運転停止に関する制御信号以外の入力を受け付けないものとする。
【００９９】
ステップＳ７においてロータクリーン運転が開始され、ロータクリーン運転が実行されている間、判断部６５によって、第１終了条件が満たされているか否かが判断される（ステップＳ９）。ステップＳ９において、判断部６５によって第１終了条件が満たされていると判断される前に、運転停止に関する制御信号が入力された場合（ステップＳ１０）、クリーン運転制御部６４は、ロータクリーン運転を終了させ、アフタークリーン運転を開始させる（ステップＳ１１）。具体的には、クリーン運転制御部６４は、ヒータ４２及び駆動モータ４９の稼働を停止し、再生ファン４３及びメインファン１２を継続して稼働させることで、ロータクリーン運転からアフタークリーン運転に運転内容を切り換える。その後、判断部６５によってアフタークリーン運転終了条件が満たされていると判断された場合に、クリーン運転制御部６４は、再生ファン４３及びメインファン１２の稼働を停止することで、アフタークリーン運転を終了させる。なお、このとき、記憶部６９に記憶されている積算補正運転時間はリセットされない。
【０１００】
一方、ステップＳ９において、運転停止に関する制御信号が入力される前に、判断部６５によって第１終了条件が満たされていると判断された場合、クリーン運転制御部６４は、ロータクリーン運転を終了させ、アフタークリーン運転を開始させる（ステップＳ１２）。具体的には、クリーン運転制御部６４は、ヒータ４２及び駆動モータ４９の稼働を停止させ、再生ファン４３及びメインファン１２を継続して稼働させることで、ロータクリーン運転からアフタークリーン運転に運転内容を切り換える。その後、判断部６５によってアフタークリーン運転終了条件が満たされていると判断された場合（ステップＳ１３）、クリーン運転制御部６４は、再生ファン４３及びメインファン１２の稼働を停止することで、アフタークリーン運転を終了させる。また、ステップＳ９において、判断部６５によって第１終了条件を満たしたと判断されてロータクリーン運転を終了させた場合、クリーン運転制御部６４は、記憶部６９に記憶されている積算補正運転時間をリセットする（ステップＳ１４）。さらに、クリーン運転制御部６４は、判断部６５によって第１終了条件が満たされていると判断されてロータクリーン運転を終了させた場合、水交換ＬＥＤ９５に報知に関する制御信号を送信する（ステップＳ１４）。この結果、水交換ＬＥＤ９５が点灯する。
【０１０１】
（６−２）第２クリーン運転のバッチクリーン運転及びアフタークリーン運転
ユーザによって運転入／切ボタン８１が押され、運転切換ボタン８２が押されて「空気清浄」が選択されることで、空気清浄運転の運転開始に関する制御信号が入力された場合（ステップＳ２１）、空気清浄運転制御部６１によって、設定風量となるようにメインファン１２が稼働される。これにより、空気清浄運転が開始される。また、ユーザによって運転入／切ボタン８１が押され、運転切換ボタン８２が押されて「加湿」が選択されることで、加湿運転の運転開始に関する制御信号が入力された場合（ステップＳ２１）、加湿運転制御部６３によって、設定風量となるようにメインファン１２が稼働され、かつ、加湿ユニット３０の駆動モータ３４が稼働される。
【０１０２】
そして、空気清浄機１０において空気調和運転或いは加湿運転が実行されている間に、判断部６５によって第２開始条件が満たされているか否かが判断される（ステップＳ２２）。このとき、判断部６５によって第２開始条件が満たされていると判断される前に、運転停止に関する制御信号が入力された場合（ステップＳ２３）、クリーン運転制御部６４は、稼働しているメインファン１２又はメインファン１２及び駆動モータ３４の稼働を停止して、現在実行している空気清浄運転、或いは、加湿運転を終了させる（ステップＳ２４）。このとき、記憶部６９は、積算補正運転時間及び積算運転時間を導出して記憶する（ステップＳ２４）。
【０１０３】
一方、運転停止に関する制御信号が入力される前に、判断部６５によって第２開始条件が満たされたと判断された場合、クリーン運転制御部６４は、第２クリーン運転のバッチクリーン運転が必要であると認定し、ヒータ４２、再生ファン４３及びメインファン１２を稼働することで、バッチクリーン運転を自動的に開始させる（ステップＳ２５）。なお、ステップＳ２２において、判断部６５によって第２開始条件が満たされていると判断された場合、制御部６０は、現在実行している空気清浄運転、或いは、加湿運転を終了させる制御は行われない。この結果、バッチクリーン運転と、空気清浄運転、或いは、加湿運転とは、同時に行われる。また、本実施形態では、判断部６５によって第２開始条件が満たされたと判断された場合であっても、制御部６０は、空気清浄運転、除湿運転、及び、加湿運転の運転が禁止されるように制御しない。さらに、本実施形態では、制御部６０は、バッチクリーン運転実行中であっても、操作パネル８０からの制御信号の入力を受け付ける。このため、例えば、風量設定ボタン８３が押された場合、クリーン運転制御部６４は、設定された風量に切り換わるようにメインファン１２の駆動を制御する。さらに、判断部６５によって第２開始条件が満たされたと判断された場合、スピーカー９６やお知らせＬＥＤ９３等に対して報知に関する制御信号は送信されない。この結果、バッチクリーン運転が開始されたこと、及び、バッチクリーン運転が実行されていることは、報知されない。
【０１０４】
ステップＳ２５においてバッチクリーン運転が開始され、バッチクリーン運転が実行されている間、判断部６５によって、第２終了条件が満たされているか否かが判断される（ステップＳ２６）。ステップＳ２６において、判断部６５によって第２終了条件が満たされていると判断される前に、運転停止に関する制御信号が入力された場合（ステップＳ２７）、クリーン運転制御部６４は、バッチクリーン運転を終了させ、アフタークリーン運転を開始させる（ステップＳ２８）。具体的には、クリーン運転制御部６４は、ヒータ４２の稼働を停止し、再生ファン４３及びメインファン１２を継続して稼働させることで、バッチクリーン運転からアフタークリーン運転に運転内容を切り換える。その後、判断部６５によってアフタークリーン運転終了条件が満たされていると判断された場合（ステップＳ２９）に、クリーン運転制御部６４は、再生ファン４３及びメインファン１２の稼働を停止することで、アフタークリーン運転を終了させる（ステップＳ３０）。なお、このとき、記憶部６９に記憶されている積算運転時間はリセットされない。
【０１０５】
一方、ステップＳ２６において、運転停止に関する制御信号が入力される前に、判断部６５によって第２終了条件が満たされていると判断された場合、クリーン運転制御部６４は、吸着ロータ４１を所定角度θだけ回転させてバッチクリーン運転を終了させ、アフタークリーン運転を開始させる（ステップＳ３１）。具体的には、クリーン運転制御部６４は、ヒータ４２の稼働を停止し、駆動モータ４９の稼働を開始し、再生ファン４３及びメインファン１２を継続して稼働させることで、吸着ロータ４１を所定角度θだけ回転させてバッチクリーン運転を終了させる。続いて、クリーン運転制御部６４は、駆動モータ４９の稼働を停止させ、再生ファン４３及びメインファン１２を継続して稼働させることで、バッチクリーン運転からアフタークリーン運転に運転内容を切り換える。その後、判断部６５によってアフタークリーン運転終了条件が満たされていると判断された場合（ステップＳ３２）に、クリーン運転制御部６４は、再生ファン４３の稼働を停止することで、アフタークリーン運転を終了させる（ステップＳ３３）。なお、ステップＳ３３において、クリーン運転制御部６４はメインファン１２の稼働を停止しないため、バッチクリーン運転が行われる前に行われていた運転（ここでは、加湿運転、又は、空気清浄運転）に運転内容が切り換わる。また、ステップＳ２６において、判断部６５によって第２終了条件を満たしたと判断されてバッチクリーン運転を終了させた場合、クリーン運転制御部６４は、記憶部６９に記憶されている積算運転時間をリセットする（ステップＳ３３）。
【０１０６】
（７）特徴
（７−１）
デシカント式の除湿部を備える空気清浄機では、ヒータが所定出力以上の出力で使用されない運転が長期間行われることで、例えば、空気清浄機能のみが長期間使用されることで、空気清浄ユニットで取り除くことができなかった物質（特に有機物）が吸着ロータに蓄積することがあり、このような物質が蓄積した状態の吸着ロータがヒータで加熱されると、吸着ロータに蓄積した物質が熱せられることで吸着ロータが異常な温度になったり、吸着ロータに大量の付着物が蓄積することで吸着ロータから煙が発生したりするという問題が生じることがある。
【０１０７】
そこで、本実施形態では、空気清浄運転又は加湿運転が実行されている時に判断部６５によって第１開始条件が満たされていると判断された場合、すなわち、除湿機能を一定期間使用していない場合には、第１クリーン運転が強制的に実行されることで、吸着ロータ４１に付着した除去対象物質を除去することができる。これにより、吸着ロータ４１の機能保持をすることができる。
【０１０８】
また、本実施形態では、空気清浄運転又は加湿運転が実行されている時に判断部６５によって第１開始条件が満たされていると判断された場合、現在実行されている運転が停止される。このため、吸着ロータ４１が異常な温度になったり、吸着ロータから煙が発生したりする前に、現在行われている運転を停止させることができる。この結果、ユーザに第１クリーン運転の実行を促すことができるため、第１クリーン運転が実行されないおそれを低減することができる。また、運転が停止された後に、第１クリーン運転が実行されることで、吸着ロータ４１に付着した除去対象物質を除去することができる。
【０１０９】
これによって、第１クリーン運転が実行されないおそれを低減することで、吸着ロータ４１に除去対象物質が蓄積するおそれを低減することができている。
【０１１０】
（７−２）
本実施形態では、判断部６５によって第１開始条件が満たされたと判断された場合、第１クリーン運転以外の運転（空気清浄運転、除湿運転、及び、加湿運転）が禁止される。このため、第１開始条件が満たされている状態であるにもかかわらず、第１クリーン運転が行われずに、他の運転が行われないようにすることができる。
【０１１１】
これによって、第１クリーン運転が行われないおそれを低減することができている。
【０１１２】
（７−３）
本実施形態では、計測部６７によって計測された運転実行時間に、設定風量に応じた係数を乗じた補正運転時間が演算部６８によって算出される。また、記憶部６９には、算出される補正運転時間が積算されて、積算補正運転時間が記憶される。さらに、判断部６５は、記憶部６９に記憶されている積算補正運転時間が第１所定時間を超えた場合に、第１開始条件が満たされていると判断する。このため、積算補正運転時間が第１所定時間以上になる毎に、第１クリーン運転の開始条件が満たされる。これによって、積算補正運転時間が第１所定時間以上になる毎に、第１クリーン運転をユーザに促すことができる。
【０１１３】
（７−４）
本実施形態では、除湿運転が第８所定時間以上継続して行われた場合、或いは、第１クリーン運転が実行された場合にのみ、記憶部６９に記憶されている積算補正運転時間がリセットされる。このため、第１クリーン運転が行われた時と同程度に除去対象物質の吸着ロータ４１からの除去効果が期待される場合には、第１クリーン運転が行われないようにすることで、一定時間毎に第１クリーン運転が行われる場合と比較して、ユーザの所望する運転の行われる時間が短くならないようにすることができる。
【０１１４】
（７−５）
本実施形態では、演算部６８は、計測部６７によって計測された運転実行時間に、設定風量に応じた係数を乗じた補正運転時間を算出する。また、設定風量に応じた係数は、風量の違いによる吸着ロータ４１の汚れ度合いの違いを考慮するために、シミュレーションや机上計算、実験等によって決定されており、予め記憶部６９に記憶されている。このため、例えば、吸着ロータ４１の汚れ度合いが高いと考えられる強風量での運転が実行された場合には、第１クリーン運転の開始時期が早くなることで、吸着ロータ４１に除去対象物質が蓄積して、発煙或いは発熱するおそれを低減することができる。また、吸着ロータ４１の汚れ度合いが低いと考えられる弱風量での運転が実行された場合には、第１クリーン運転の開始時期が遅くなることで、ユーザの所望する運転の行われる時間が短くならないようにすることができる。
【０１１５】
（７−６）
本実施形態では、ロータクリーン運転において、ヒータ４２、駆動モータ４９及び再生ファン４３が除湿運転時と同様に稼働される。このため、ロータクリーン運転が行われることで、吸着ロータ４１から除去対象物質を除去することができる。
【０１１６】
（７−７）
本実施形態では、ユーザによって条件変更ボタン８５が押されることで、第１所定時間の設定が変更される。このように、第１開始条件を変更することができるため、ユーザの都合に応じて第１クリーン運転の開始時期を変更することができる。
【０１１７】
また、本実施形態では、第１開始条件の設定は、第１所定時間として予め設定されている時間よりも短時間となるように変更可能である。このため、吸着ロータ４１からの発熱や発煙が発生する前に、ユーザに第１クリーン運転の実施を促すことができる。
【０１１８】
（７−８）
第１クリーン運転が行われることで、吸着ロータ４１から除去された除去対象物質を含むドレン水が、熱交換部４４を下方に流れ、排水口４７を通って貯水容器３１に溜められる。ここで、本実施形態では、第１クリーン運転が終了した後に、水交換ＬＥＤ９５が点灯する。このため、第１クリーン運転が行われることで生じたドレン水の除去を、ユーザに促すことができている。
【０１１９】
（７−９）
第１クリーン運転が行われることで、空気清浄機１０から温風が吹き出されたり、吸着ロータ４１からニオイ成分を含む有機物が放出されたりすることがある。
【０１２０】
そこで、本実施形態では、判断部６５によって第１開始条件が満たされていると判断された場合、ブザーが鳴るようにスピーカー９６が制御されると共に、お知らせＬＥＤ９３が点灯或いは点滅するようにＬＥＤが制御される。また、ユーザによってクリーンボタン８４が押されることで、第１クリーン運転が開始される。このため、第１開始条件が満たされることで第１クリーン運転が自動的に行われる場合と比較して、ユーザに第１クリーン運転が行われていることを認識させやすくすることができてきる。
【０１２１】
（７−１０）
本実施形態では、クリーン運転には、第１クリーン運転と第２クリーン運転とが含まれる。また、第２クリーン運転に含まれるバッチクリーン運転において、ヒータ４２を除湿運転及びロータクリーン運転時の所定出力よりも低い出力（例えば、１８０Ｗ）で稼働されている。このため、吸着ロータ４１が停止していても、吸着ロータ４１が高温になり過ぎるおそれを低減することができる。また、バッチクリーン運転では、吸着ロータ４１が３６０度未満の所定角度θだけ回転される。このため、例えば、バッチクリーン運転において吸着ロータが同じ速度で３６０度回転される場合と比較して、１回のバッチクリーン運転の実行時間を短くすることができる。さらに、バッチクリーン運転の終了後は、バッチクリーン運転の開始前に行われていた運転（空気清浄運転、又は、加湿運転）が行われるため、ユーザの所望する運転の行われる時間が短くならないようにすることができる。また、バッチクリーン運転が複数回行われて吸着ロータ４１が１回転（３６０度）以上回転することで、吸着ロータ全体から水以外の除去対象物質を除去することができる。
【０１２２】
これによって、除湿機能の低下を低減することができ、かつ、短時間のクリーン運転で、吸着ロータ４１に除去対象物質が蓄積するおそれを低減することができている。
【０１２３】
ここで、吸着ロータ４１に付着する除去対象物質には、吸着ロータ４１に熱を短い時間かけることで除去可能な低沸点の物質と、吸着ロータ４１に熱を長時間かけなければ除去できない物質とがある。本実施形態では、積算運転時間が第２所定時間を超えた場合に、第２開始条件が満たされていると判断されている。また、第２クリーン運転のバッチクリーン運転は、第１クリーン運転よりも短い時間の間隔で行われる。このため、第１クリーン運転よりも短い時間の間隔で、吸着ロータ４１に付着する物質のうち特に低沸点の物質を除去することができる。また、第２所定時間が２１時間であるなど、短い時間に設定されている場合には、バッチクリーン運転をこまめに行うことができる。この結果、除去対象物質のうち特に低沸点の有機物（例えば、ジオキサン、アセトアルデヒド、トルエンなど）が吸着ロータ４１に蓄積する前に、吸着ロータ４１から除去することができる。このように、短い期間の間隔で吸着ロータ４１に熱をかけることで、発火点が低く、かつ、吸着ロータ４１への付着量が一定量以上となることで発熱する低沸点の物質を、吸着ロータ４１への付着量が少ないときに吸着ロータ４１から脱離させることができる。したがって、除去対象物質のうち短時間で除去可能な低沸点の物質を早期に除去することで、吸着ロータ４１の発煙及び発熱の危険性を下げることができる。
【０１２４】
（７−１１）
本実施形態では、除湿運転が第８所定時間以上継続して行われた場合、第１クリーン運転が行われた場合、或いは、第２クリーン運転のバッチクリーン運転が終了した場合にのみ、記憶部６９に記憶されている積算運転時間がリセットされる。除湿運転が第８所定時間以上継続して行われた場合、又は、第１クリーン運転が行われた場合、すなわち、除去対象物質が吸着ロータ４１から除去されたことが期待される場合には、記憶部６９に記憶されている積算運転時間がリセットされることで、第２開始条件が満たされないようにし、結果として、バッチクリーン運転が開始されないようにすることができる。これにより、一定時間毎にバッチクリーン運転が行われる場合と比較して、ユーザの所望する運転の行われる時間が短くならないようにすることができている。
【０１２５】
また、バッチクリーン運転が終了することで、記憶部６９に記憶されている積算運転時間がリセットされる。このため、第２終了条件が満たされて積算運転時間がリセットされてから第２開始条件が満たされるまでに、除湿運転又は第１クリーン運転が行われなかった場合には、積算運転時間が第２所定時間以上となることで第２開始条件が満たされ、この結果、バッチクリーン運転が開始される。これにより、除去対象物質が吸着ロータ４１から除去されたことが期待されない場合には、除去対象物質を吸着ロータ４１から除去する運転を自動的に開始することができる。
【０１２６】
さらに、本実施形態では、バッチクリーン運転を実行する場合、ユーザによって設定されている設定風量となるようにメインファン１２を稼働させる。また、メインファン１２が稼働されると、空気清浄機１０が設置されている室内の空気は、空気清浄ユニット２０や加湿ユニット３０を必ず通過するため、バッチクリーン運転実行時であっても、空気清浄ユニット２０における空気の清浄化が行われ、さらに、加湿ユニット３０の駆動時には加湿ユニット３０における加湿が行われる。このため、バッチクリーン運転が行われていることを、ユーザに認識させにくくすることができる。
【０１２７】
（７−１２）
本実施形態では、判断部６５によって第２開始条件が満たされたと判断された場合であっても、制御部６０は、空気清浄運転、除湿運転、及び、加湿運転の運転が禁止されるように制御しない。このため、第２クリーン運転実行時であっても、ユーザの所望する運転を行うことができる。
【０１２８】
（７−１３）
本実施形態では、空気清浄運転又は加湿運転が実行されている時に判断部６５によって第２開始条件が満たされていると判断された場合、現在実行されている運転を併用して、第２クリーン運転が実行される。このため、第２クリーン運転が行われても、ユーザの所望する運転が行われないことがないようにすることができる。
【０１２９】
（７−１４）
本実施形態では、第１クリーン運転が行われている状態で、判断部６５によって第１終了条件が満たされていると判断される前に、運転が停止された場合には、記憶部６９に記憶されている積算補正運転時間はリセットされない。このため、運転が再開された時には、第１開始条件を満たしているため、スピーカー９６からブザー音が鳴り、かつ、お知らせＬＥＤ９３が点灯或いは点滅する。したがって、第１クリーン運転を最初から行うように、ユーザに第１クリーン運転の実行を促すことができる。このため、吸着ロータ４１から除去対象物質が除去されないおそれを低減することができる。
【０１３０】
（７−１５）
本実施形態では、バッチクリーン運転が終了する前に、空気清浄機１０の運転を停止された場合には、記憶部６９に記憶されている積算運転時間はリセットされない。このため、運転が再開された時には、第２開始条件を満たしているため、バッチクリーン運転を最初から開始させることができる。また、バッチクリーン運転の実行中に空気清浄機１０の運転内容が、除湿運転及び第１クリーン運転以外の運転内容の範囲で切り換えられた場合（例えば、空気清浄運転中に加湿運転に切り換えられたり、加湿運転中に空気清浄運転に切り換えられたりした場合）であっても、第２終了条件が満たされるまでは、バッチクリーン運転を継続して行うことができる。このため、吸着ロータ４１から除去対象物質が除去されないおそれを低減することができる。
【０１３１】
また、本実施形態では、空気清浄運転又は加湿運転が実行されている時に判定部によって第２開始条件が満たされていると判断された場合には、バッチクリーン運転を自動的に開始される。また、バッチクリーン運転の開始時、及び、実行中に、スピーカー９６や各ＬＥＤ等が制御されないため、バッチクリーン運転が行われていることがユーザに報知されない。このため、バッチクリーン運転が行われていることを、ユーザに認識させにくくすることができる。
【０１３２】
（８）変形例
（８−１）変形例Ａ
上記実施形態では、ユーザによってクリーンボタン８４が押された場合に、第１クリーン運転のロータクリーン運転が開始されている。これに代えて、判断部６５によって第１開始条件が満たされていると判断された場合に、クリーン運転制御部６４によって第１クリーン運転が自動的に開始されてもよい。
【０１３３】
（８−２）変形例Ｂ
上記実施形態では、判断部６５によって第１終了条件が満たされていると判断されてロータクリーン運転が終了された場合、水交換ＬＥＤ９５が点灯されている。これに代えて、次回の運転が加湿運転の場合にのみ、ユーザに対してドレン水の除去を促すために水交換ＬＥＤ９５が点灯されるようにしてもよい。
【０１３４】
（８−３）変形例Ｃ
上記実施形態では、計測部６７によって計測された運転実行時間に、設定風量に応じた係数を乗じて補正運転時間が算出されている。これに代えて、或いは、これに加えて、対象空間の空気の汚れ状態に応じた係数が設定されていてもよい。
【０１３５】
（８−４）変形例Ｄ
上記実施形態では、除湿ユニット４０よりも外部空気流Ａ１の上流側に、空気清浄ユニット２０が配置されている。この空気清浄ユニット２０が、さらに、ＨＥＰＡ（Ｈｉｇｈ  Ｅｆｆｉｃｉｅｎｃｙ  Ｐａｒｔｉｃｕｌａｔｅ  Ａｉｒ）フィルタなどの集塵効率の高いフィルタを備えていてもよい。
【０１３６】
（８−５）変形例Ｅ
上記実施形態では、第１開始条件が満たされているか否かを判断するための第１所定時間は、デフォルト値として記憶部６９に記憶されている。
【０１３７】
これに代えて、計測部６７によってヒータ４２が所定出力以上の出力で稼働され、かつ、メインファン１２が稼働している駆動時間が更に計測される場合には、判断部６５は、予め設定され記憶部６９に記憶されている第１０所定時間（第３所定時間に相当）に、計測部６７が計測した駆動時間を加えた時間を、第１所定時間とみなして、第１開始条件が満たされているか否かを判断してもよい。これにより、積算補正運転時間が一定時間となる毎にメインクリーン運転が行われる場合と比較して、ユーザの所望する運転の行われる時間が短くならないようにすることができる。
【産業上の利用可能性】
【０１３８】
本発明は、吸着ロータから除去対象物質を除去するための運転が実行されないおそれを低減することで、吸着ロータに除去対象物質が蓄積するおそれを低減することができるため、吸着ロータによって除湿を行う除湿部を備える空気清浄機への適用が有効である。
【符号の説明】
【０１３９】
１０      空気清浄機
１２      メインファン
２０      空気清浄ユニット（空気清浄部）
４０      除湿ユニット（除湿部）
４１      吸着ロータ
４１ａ    第１領域
４１ｂ    第２領域
４２      ヒータ
４３      再生ファン
４５      凝縮部（凝縮器）
６０      制御部
６５      判断部
６６      積算部
８４      クリーンボタン（第２受付部）
８５      条件変更ボタン（第１受付部）
９０      表示部（報知部）
【先行技術文献】
【特許文献】
【０１４０】
【特許文献１】特開２００９―１６５９５６号公報
【図１】
0005327187.tif 000002
【図２】
0005327187.tif 000003
【図３】
0005327187.tif 000004
【図４】
0005327187.tif 000005
【図５】
0005327187.tif 000006
【図６】
0005327187.tif 000007
【図７】
0005327187.tif 000008
【図８】
0005327187.tif 000009
【図９】
0005327187.tif 000010
【図１０】
0005327187.tif 000011
【図１１】
0005327187.tif 000012
【図１２】
0005327187.tif 000013
【図１３】
0005327187.tif 000014
【図１４】
0005327187.tif 000015
【図１５】
0005327187.tif 000016
【図１６】
0005327187.tif 000017
【図１７】
0005327187.tif 000018